(57)【特許請求の範囲】
【請求項１】
４つの側面部によって枠状に形成されたフレーム部を有するミドルフレームと、
該ミドルフレームの一方の開口を閉塞する状態でミドルフレームに結合されるフロントパネルと、
ミドルフレームの他方の開口を閉塞する状態でミドルフレームに結合されるリアパネルと、
ミドルフレーム、フロントパネル及びリアパネルによって構成された外筐内に配置された液晶パネルと、
外筐内に配置され液晶パネルへ向けて光を照射するバックライトパネルと、
該バックライトパネルを挟んで外筐内における液晶パネルの反対側に配置されバックライトパネルを押さえる押さえ板とを備え、
上記ミドルフレームにバッテリーが挿入されて装着されるバッテリー装着部を一体に設け、
上記押さえ板の少なくとも一部とバッテリー装着部とによってバッテリーを保持するようにした
ことを特徴とする電子機器。
【請求項２】
上記押さえ板の少なくとも一部をバックライトパネルに面接触させ、
押さえ板を挟んでバックライトパネルの反対側に位置し押さえ板を押さえる押さえリブを上記ミドルフレームに一体に設けた
ことを特徴とする請求項１に記載の電子機器。
【請求項３】
上記液晶パネルを挟んでバックライトパネルの反対側に、接触操作により所定の機能を実行させるためのタッチパネルを配置した
ことを特徴とする請求項２に記載の電子機器。
【請求項４】
上記ミドルフレームに、所定の機能を実行する機能性部品を保持する部品保持部を一体に設けた
ことを特徴とする請求項１に記載の電子機器。
【請求項５】
上記ミドルフレームの押さえリブに、端子部が搭載されたバッテリー用回路基板を取り付けた
ことを特徴とする請求項１に記載の電子機器。
【請求項６】
上記ミドルフレームの対向して位置する２つの側面部を連結する補強部を上記２つの側面部と一体に設けた
ことを特徴とする請求項１に記載の電子機器。
【発明の詳細な説明】
【技術分野】
【０００１】
本発明は電子機器についての技術分野に関する。詳しくは、外筐をミドルフレームと該ミドルフレームに結合される２つのパネルとによって構成して部品点数の削減等を図る技術分野に関する。
【背景技術】
【０００２】
電子機器には、例えば、ビデオカメラ、スチルカメラ、テレビジョン受像器、携帯電話、音響機器等の各種の機器があり、このような電子機器は、一般に、外筐内に所要の各部が配置されて成る（例えば、特許文献１参照）。
【０００３】
特許文献１に記載された電子機器（ビデオカメラ）にあっては、外筐が前後に開口されたカメラ筐体と該カメラ筐体の前端に結合されるフロントパネルとカメラ筐体の後端に結合されるリアカバーとによって構成され、カメラ筐体は下方に開口されたアッパーケースと該アッパーケースの下端に結合されるロアケースとから成る。
【０００４】
従って、この外筐は、アッパーケース、ロアケース、フロントパネル及びリアカバーの４部品によって構成されている。
【０００５】
【特許文献１】特開平８−７９５８５号公報
【発明の開示】
【発明が解決しようとする課題】
【０００６】
ところが、上記した従来の電子機器にあっては、外筐を構成する部品が４部品と多く、結合するためのネジ等の結合部品も多くなるため、部品点数が多くなってしまうと言う不具合が生じる。
【０００７】
また、カメラ筐体がアッパーケースとロアケースの２部品を結合することにより構成されるため、その分、高い強度を確保することが困難であるという問題もある。
【０００８】
そこで、本発明は、上記した問題点を克服し、部品点数の削減等を図ることを課題とする。
【課題を解決するための手段】
【０００９】
本発明電子機器は、上記した課題を解決するために、４つの側面部によって枠状に形成されたフレーム部を有するミドルフレームと、該ミドルフレームの一方の開口を閉塞する状態でミドルフレームに結合されるフロントパネルと、ミドルフレームの他方の開口を閉塞する状態でミドルフレームに結合されるリアパネルと、ミドルフレーム、フロントパネル及びリアパネルによって構成された外筐内に配置された液晶パネルと、外筐内に配置され液晶パネルへ向けて光を照射するバックライトパネルと、該バックライトパネルを挟んで外筐内における液晶パネルの反対側に配置されバックライトパネルを押さえる押さえ板とを設け、ミドルフレームにバッテリーが挿入されて装着されるバッテリー装着部を一体に設け、押さえ板の少なくとも一部とバッテリー装着部とによってバッテリーを保持するようにしたものである。
【００１０】
従って、本発明電子機器にあっては、４つの側面部が一体に形成されたミドルフレームを含む３部品によって外筐が構成される。
【発明の効果】
【００１１】
本発明電子機器は、４つの側面部によって枠状に形成されたフレーム部を有するミドルフレームと、該ミドルフレームの一方の開口を閉塞する状態でミドルフレームに結合されるフロントパネルと、ミドルフレームの他方の開口を閉塞する状態でミドルフレームに結合されるリアパネルと、ミドルフレーム、フロントパネル及びリアパネルによって構成された外筐内に配置された液晶パネルと、外筐内に配置され液晶パネルへ向けて光を照射するバックライトパネルと、該バックライトパネルを挟んで外筐内における液晶パネルの反対側に配置されバックライトパネルを押さえる押さえ板とを備え、ミドルフレームにバッテリーが挿入されて装着されるバッテリー装着部を一体に設け、押さえ板の少なくとも一部とバッテリー装着部とによってバッテリーを保持するようにしたことを特徴とする。
【００１２】
従って、部品点数が少なく、各部品をネジ止めや加締め等によって結合する作業も少なくて済み、作業性の向上を図ることができる。また、ミドルフレームにバッテリーが挿入されて装着されるバッテリー装着部を一体に設け、押さえ板の少なくとも一部とバッテリー装着部とによってバッテリーを保持するようにしたので、部品点数が少なくて済み、電子機器の製造コストの低減を図ることができる。
【００１３】
請求項２に記載した発明にあっては、上記押さえ板の少なくとも一部をバックライトパネルに面接触させ、押さえ板を挟んでバックライトパネルの反対側に位置し押さえ板を押さえる押さえリブを上記ミドルフレームに一体に設けたので、押さえ板を押さえる専用の部品を他に必要とせず、部品点数の削減を図ることができる。
【００１４】
請求項３に記載した発明にあっては、上記液晶パネルを挟んでバックライトパネルの反対側に、接触操作により所定の機能を実行させるためのタッチパネルを配置したので、タッチパネルの撓みや割れを確実に防止することができる。
【００１５】
請求項４に記載した発明にあっては、上記ミドルフレームに、所定の機能を実行する機能性部品を保持する部品保持部を一体に設けたので、機能性部品を保持するための専用の部品を用いる必要がなく、部品点数の削減による製造コストの低減を図ることができる。
【００１６】
請求項５に記載した発明にあっては、ミドルフレームの押さえリブに、端子部が搭載されたバッテリー用回路基板を取り付けたので、部品点数をさらに少なくすることができ、電子機器の製造コストをさらに下げることができる。
【００１７】
請求項６に記載した発明にあっては、上記ミドルフレームの対向して位置する２つの側面部を連結する補強部を上記２つの側面部と一体に設けたので、ミドルフレームの強度が高くなり、外筐の剛性を高くすることができる。
【発明を実施するための最良の形態】
【００１８】
以下に、本発明を実施するための最良の形態を添付図面に従って説明する。
【００１９】
以下に示した最良の形態は、本発明をスチルカメラに適用したものである。
【００２０】
尚、本発明の適用範囲はスチルカメラに限られることはなく、例えば、ビデオカメラ、テレビジョン受像器、携帯電話、パーソナルコンピューター、ＰＤＡ（Personal Digital Assistant）、ネットワーク端末、携帯情報端末、ワークステーション、音響機器等の各種の電子機器に広く適用することができる。
【００２１】
以下の説明にあっては、スチルカメラの撮影時において撮影者から見た方向で前後上下左右の方向を示すものとする。従って、例えば、被写体側が前方となり、撮影者側が後方となる。
【００２２】
尚、以下に示す前後上下左右の方向は説明の便宜上のものであり、本発明の実施に関しては、これらの方向に限定されることはない。
【００２３】
電子機器１は外筐２内に所要の各部が配置されて成り、該外筐２は、例えば、横長の扁平な形状に形成されている（図１及び図２参照）。外筐２はミドルフレーム３と該ミドルフレーム３の前面に結合されるフロントパネル４とミドルフレーム３の後面に結合されるリアパネル５の３つの部品によって構成されている。
【００２４】
ミドルフレーム３は樹脂材料によって各部が一体に形成されて成り、図３及び図４に示すように、横長の枠状に形成されたフレーム部６を有している。フレーム部６は上側面部７、下側面部８、左側面部９及び右側面部１０から成る。
【００２５】
上側面部７には釦配置孔７ａとマイク用孔７ｂが形成されている。上側面部７には釦配置孔７ａの近傍の位置に、上方に開口された浅い部材配置凹部１１が形成されている。部材配置凹部１１には操作ピン配置孔１１ａが形成されている。
【００２６】
フレーム部６には部材配置凹部１１に連続した位置に部材配置孔１２が形成され、該部材配置孔１２は上側面部７と右側面部１０との連続した部分に位置されている。フレーム部６には部材配置孔１２の前後両側の位置に、それぞれ前後に貫通されたピン挿通孔６ａ、６ａが形成されている。
【００２７】
下側面部８には左右方向における略中央部に三脚用孔８ａが形成されている。
【００２８】
左側面部９にはスピーカー用孔９ａが形成されている。
【００２９】
右側面部１０には内部に連通する縦長の開口１０ａが形成されている。右側面部１０の下端部には開口１０ａの近傍の位置に配置孔１０ｂが形成されている。
【００３０】
右側面部１０にはバッテリー蓋１３が開閉自在に支持されている（図１及び図５参照）。バッテリー蓋１３は縦長の形状に形成され、上端部を支点としてミドルフレーム３に対して回動可能とされている。バッテリー蓋１３の回動動作により開口１０ａ及び配置孔１０ｂが開閉される。
【００３１】
ミドルフレーム３の左右方向における中央部には上下に延びる補強部１４が一体に設けられている（図３及び図４参照）。補強部１４は上側面部７の左右方向における略中央部と下側面部８の左右方向における略中央部とを連結し、上下方向における中央部が押さえリブ１４ａとして形成されている。
【００３２】
このようにミドルフレーム３には上側面部７と下側面部８を連結する補強部１４が設けられているため、ミドルフレーム３の強度が高く、外筐２の剛性を高くすることができる。
【００３３】
また、補強部１４がミドルフレーム３に一体に設けられているため、ミドルフレーム３の高い強度を確保することができると共に部品点数の削減を図ることができる。
【００３４】
ミドルフレーム３には左右方向に延びる規制壁部１５が設けられている。規制壁部１５は両端がそれぞれ補強部１４の上端寄りの部分と右側面部１０の上端寄りの部分とに連続されている。
【００３５】
ミドルフレーム３には左右方向に延びる保持壁部１６が設けられている。保持壁部１６は両端がそれぞれ補強部１４の下端部と右側面部１０の下端部とに連続されている。
【００３６】
ミドルフレーム３のうち、右側面部１０、規制壁部１５、補強部１４及び保持壁部１６によって後述するバッテリーが装着されるバッテリー装着部１７が構成され、該バッテリー装着部１７の内部空間はバッテリーが挿入される挿入空間１７ａとされる。
【００３７】
ミドルフレーム３には補強部１４の上端部と上側面部７の左右方向における略中央部とに連続する位置に前後方向を向く受け面部１８が設けられ、該受け面部１８にはユニット受け面１８ａが形成されている。受け面部１８にはストロボ固定部１８ｂが設けられている。
【００３８】
ミドルフレーム３には上側面部７の左端部と左側面部９の上半部とに連続する位置に前後方向を向く受け面部１９が設けられ、該受け面部１９にユニット受け面１９ａが形成されている。
【００３９】
ミドルフレーム３には下側面部８の左端寄りの位置から上方へ突出された前後方向を向く受け面部２０が設けられ、該受け面部２０にユニット受け面２０ａが形成されている。
【００４０】
ユニット受け面１８ａ、１９ａ、２０ａは浅い凹状に形成されている。
【００４１】
ミドルフレーム３には上側面部７の内面側にマイク配置部２１が設けられている。マイク配置部２１は前方に開口された配置凹部２１ａを有している。
【００４２】
ミドルフレーム３には左側面部９の内面側にスピーカー配置部２２が設けられている。スピーカー配置部２２は後方に開口された配置凹部２２ａを有している。
【００４３】
ミドルフレーム３の左端部には、その上下両端部にそれぞれ前後に貫通されたネジ挿通孔３ａ、３ａが形成されている。ミドルフレーム３の補強部１４の上端部には前後に貫通されたネジ挿通孔１４ｂが形成されている。
【００４４】
ミドルフレーム３の各部には、以下のような各部品が配置される（図６参照）。
【００４５】
ミドルフレーム３の受け面部１８、１９、２０にはレンズユニット２３が配置される。レンズユニット２３は、例えば、扁平なレンズホルダー２４にフォーカスレンズやズームレンズ等の各種のレンズやアイリス機構等が保持されて成る。レンズユニット２３はレンズホルダー２４の外周部の後面が受け面部１８、１９、２０にそれぞれ形成されたユニット受け面１８ａ、１９ａ、２０ａに位置決めされて受けられた状態で配置される。従って、ユニット受け面１８ａ、１９ａ、２０ａはレンズユニット２３の位置決め部として機能する。
【００４６】
受け面部１８のストロボ固定部１８ｂにはストロボ２５が接着等の手段により固定されて保持される。
【００４７】
マイク配置部２１には略円板状に形成されたマイクロフォン２６が配置されて保持される。マイクロフォン２６はマイク配置部２１の配置凹部２１ａに挿入されることにより保持される。
【００４８】
スピーカー配置部２２には略円板状に形成されたスピーカー２７が配置されて保持される。スピーカー２７はスピーカー配置部２２の配置凹部２２ａに挿入されることにより保持される。
【００４９】
上記したレンズユニット２３、ストロボ２５、マイクロフォン２６及びスピーカー２７は所定の機能を実行する機能性部品であり、ユニット受け面１８ａ、１９ａ、２０ａ、ストロボ固定部１８ｂ、マイク配置部２１及びスピーカー配置部２２は機能性部品を保持する部品保持部とされる。
【００５０】
電子機器１にあっては、レンズユニット２３、ストロボ２５、マイクロフォン２６及びスピーカー２７等の機能性部品を保持する部品保持部をミドルフレーム３に一体に形成しているため、各機能性部品を保持するための専用の部品を用いる必要がなく、部品点数の削減による製造コストの低減を図ることができる。
【００５１】
ミドルフレーム３の上側面部７の右端部には、その内面側に回路用板金２８が取り付けられる。回路用板金２８にはスイッチング回路が形成された図示しない回路基板が取り付けられており、該回路基板は上側面部７の内面と対向した状態で配置される。
【００５２】
上側面部７に形成された釦配置孔７ａには電源釦２９が配置される。
【００５３】
上側面部７に形成された部材配置凹部１１にはシャッターユニット３０が配置される（図７参照）。シャッターユニット３０はユニットベース３１と該ユニットベース３１に支持されたシャッター釦３２とを有している。ユニットベース３１は左右に長い直線部３３と該直線部３３の右端に連続する円弧状に形成された円弧部３４とから成り、直線部３３に上下に貫通する釦用孔３３ａが形成されている。円弧部３４には左右に延びる溝３４ａが形成され、該溝３４ａを形成する前後の壁部にそれぞれ前後に貫通するピン取付孔３４ｂ、３４ｂが形成されている。
【００５４】
ユニットベース３１の釦用孔３３ａにはシャッター釦３２が配置される。
【００５５】
シャッターユニット３０は、ユニットベース３１の直線部３３が部材配置凹部１１に挿入されて配置され、円弧部３４が部材配置凹部１１に隣接する部材配置孔１２に挿入されて配置される。
【００５６】
シャッターユニット３０が上記のように配置された状態において、ミドルフレーム３のピン挿通孔６ａ、６ａとユニットベース３１のピン取付孔３４ｂ、３４ｂに取付ピン３５が挿入される。従って、取付ピン３５によってユニットベース３１がミドルフレーム３に取り付けられる。
【００５７】
また、取付ピン３５の一部は溝３４ａ内に位置され、この取付ピン３５に図示しないストラップを巻き付けて取り付けることが可能となる。
【００５８】
このように取付ピン３５は、ユニットベース３１をミドルフレーム３に取り付ける機能に加え、ストラップを巻き付けるストラップ取付部としても機能する。従って、部品点数の削減を図ることができる。
【００５９】
また、ストラップを把持した状態においては、電子機器１の荷重が取付ピン３５にかかることになるが、取付ピン３５はミドルフレーム３のピン挿通孔６ａ、６ａとユニットベース３１のピン取付孔３４ｂ、３４ｂの双方に挿通されているため取付強度が高く、大きな荷重を受けることが可能である。
【００６０】
シャッターユニット３０がミドルフレーム３に取り付けられた状態においては、シャッター釦３２から下方へ突出された操作ピン３２ａが部材配置凹部１１に形成された操作ピン配置孔１１ａから下方へ突出され、回路用板金２８に取り付けられた回路基板のスイッチを操作可能な状態とされる。
【００６１】
ミドルフレーム３の下側面部８に形成された三脚用孔８ａには三脚用雌ネジ３６が配置される（図６参照）。従って、三脚の上端部に設けられたネジ部を三脚用孔８ａに挿入し三脚用雌ネジ３６に螺合することにより、三脚に電子機器１を設置することができる。
【００６２】
フロントパネル４は、例えば、アルミニウム等の金属材料によって形成されている。このようにフロントパネル４を金属材料によって形成することにより放熱性能が向上し、電子機器１の内部温度の上昇を効率的に抑制することができる。  フロントパネル４は、図８に示すように、横長の略矩形状に形成された前面部３７と該前面部３７の外周縁から略後方へ短く突出された周縁部３８とから成る。前面部３７には、その上端部に横長の発光用孔３７ａが形成され、左半部に大きな開口３７ｂが形成されている。
【００６３】
フロントパネル４の前面部３７には開口３７ｂの開口縁を覆う位置にリングパネル３９が取り付けられる（図１及び図８参照）。
【００６４】
フロントパネル４の前面部３７の後面には、例えば、樹脂材料によって形成された押さえ部材４０が接着等によって取り付けられる。押さえ部材４０はフロントパネル４がミドルフレーム３に取り付けられた状態において、ミドルフレーム３に配置される各部品を押さえる役割を果たす。
【００６５】
リアパネル５は、例えば、アルミニウム等の金属材料によって形成されている。このようにリアパネル５を金属材料によって形成することにより放熱性能が向上し、電子機器１の内部温度の上昇を効率的に抑制することができる。
【００６６】
リアパネル５は、図８に示すように、横長の略矩形状に形成された後面部４１と該後面部４１の外周縁から略前方へ短く突出された周縁部４２とから成る。後面部４１には、矩形状に形成された大きな開口部４１ａが形成されている。
【００６７】
リアパネル５の右端部には、それぞれ所定の位置に操作釦４３、４４、４５及びスライド摘子４６が配置されている（図２参照）。これらの操作釦４３、４４、４５及びスライド摘子４６は、リアパネル５に形成された各釦配置用孔に配置されている。操作釦４３は撮影時におけるズーミングを行うためのズーム釦であり、操作釦４４、４５は、例えば、各種のモードの変更等を行うための釦であり、スライド摘子４６は撮影モードや再生モード等のモードを切り替えるための摘子である。
【００６８】
操作釦４３は上下方向における中央部を基準として上半部と下半部を各別に押圧操作可能とされ、この操作により広角撮影又は望遠撮影を行うことができる。
【００６９】
リアパネル５の後面部４１の前面には、例えば、樹脂材料によって形成されたパネルホルダー４７が接着等によって取り付けられる（図８参照）。
【００７０】
パネルホルダー４７は、図９及び図１０に示すように、横長の矩形状に形成された枠部４８と該枠部４８の右縁に連続して設けられた操作用面部４９と枠部４８の左縁に連続して設けられた突面部５０とが一体に形成されて成る。
【００７１】
枠部４８は上方部５１、下方部５２及び一対の側方部５３、５３から成り、例えば、上方部５１及び下方部５２に他の部分より前方へ突出された段差部５４、５４が設けられている（図９乃至図１１参照）。段差部５４、５４は左右に長い延設部５４ａ、５４ａと該延設部５４ａ、５４ａの左右両端部からそれぞれ下方又は上方へ突出された突部５４ｂ、５４ｂ、・・・とから成る。
【００７２】
枠部４８は段差部５４、５４が設けられていない部分が該段差部５４、５４より後方に位置された第１のパネル位置決め部５５として設けられ、側方部５３、５３の前面と段差部５４、５４とによって第２のパネル位置決め部５６が構成される。
【００７３】
パネルホルダー４７の操作用面部４９には、図９及び図１０に示すように、その上方側に上下に並んで２つの操作孔４９ａ、４９ａが形成され、該操作孔４９ａ、４９ａ間に左右に延びる釦受部４９ｂが設けられている。この釦受部４９ｂによってズーム釦として機能する操作釦４３が背面側から押さえられ、該操作釦４３が上下方向における中央部を基準として上半部と下半部を各別に押圧操作可能とされる。
【００７４】
尚、操作用面部４９の前面側には図示しないスイッチ用回路基板が配置され、操作釦４３が押圧操作されると操作孔４９ａ、４９ａを介してスイッチ用回路基板に設けられたプッシュスイッチが操作されてズーム機能が発揮される。
【００７５】
上記のように、操作釦４３を押さえる釦受部４９ｂをパネルホルダー４７に一体に設けることにより、部品点数の削減を図ることができる。
【００７６】
操作用面部４９には、その下方側に上下に並んで２つの操作板部４９ｃ、４９ｃが設けられている。操作板部４９ｃ、４９ｃはそれぞれ操作用面部４９に上下に並んで形成された形成孔４９ｄ、４９ｄ内に位置され、それぞれ２つの弾性変形可能なアーム部４９ｅ、４９ｅ、・・・によって操作用面部４９の他の部分に連結されている。
【００７７】
操作板部４９ｃ、４９ｃの後面にはそれぞれ上記操作釦４４、４５が連結されている。操作釦４４、４５が押圧操作されると、操作板部４９ｃ、４９ｃがアーム部４９ｅ、４９ｅ、・・・の弾性変形により前方へ移動され、操作板部４９ｃ、４９ｃによって上記スイッチ用回路基板に設けられたプッシュスイッチが操作されて所定の機能が発揮される。操作釦４４、４５に対する押圧操作が解除されると、操作板部４９ｃ、４９ｃがアーム部４９ｅ、４９ｅ、・・・の弾性復帰により後方へ移動され元の位置に戻る。
【００７８】
上記のように、操作釦４４、４５の操作に応じて動作される操作板部４９ｃ、４９ｃ及びアーム部４９ｅ、４９ｅ、・・・をパネルホルダー４７に一体に設けることにより、操作釦４４、４５を操作後の元の位置に戻すためのバネ手段等を用いる必要がなく、部品点数の削減を図ることができる。
【００７９】
尚、操作釦４４、４５を操作板部４９ｃ、４９ｃに一体に形成することも可能である。操作釦４４、４５を操作板部４９ｃ、４９ｃに一体に形成することにより、一層の部品点数の削減を図ることができる。
【００８０】
パネルホルダー４７の突面部５０には前方へ突出されたスピーカー押さえ部５０ａが設けられている。ミドルフレーム３にリアパネル５が取り付けられた状態において、ミドルフレーム３のスピーカー配置部２２に配置されたスピーカー２７がスピーカー押さえ部５０ａによって押さえられ、スピーカー２７のスピーカー配置部２２からの脱落が防止される。
【００８１】
パネルホルダー４７にはタッチパネル５７と液晶パネル５８が位置決めされて保持される（図８参照）。
【００８２】
タッチパネル５７はリアパネル５に形成された開口部４１ａより一回り大きい矩形状に形成され、指やスタイラス等によって接触操作されることにより所定の機能を実行する操作部としての役割を果たす。タッチパネル５７には、一般に、操作実行のためのパターン部５７ａが存在し、該パターン部５７ａは外周寄りの位置の全周に位置されている（図１２参照）。パターン部５７ａはタッチパネル５７のうち最も強度が弱い部分である。
【００８３】
液晶パネル５８は画像や文字等を表示する表示部として機能し、タッチパネル５７と略同じ大きさに形成されている。液晶パネル５８は、図１３に示すように、液晶表示部５９と該液晶表示部５９を保持する保持枠６０とから成り、パネル取付板６１に取り付けられている。
【００８４】
保持枠６０は４隅の部分が他の部分より外方に突出されて鈎状に形成された位置決め突部６０ａ、６０ａ、・・・として設けられている。
【００８５】
パネル取付板６１は保持枠６０の外周部のうち、位置決め突部６０ａ、６０ａ、・・・を除いた部分を覆うようにして設けられている。
【００８６】
液晶パネル５８とタッチパネル５７は接着等によって前後で結合されて一体化され、タッチパネル５７のパターン部５７ａは液晶表示部５９の外側、即ち、保持枠６０の内周部に対応して位置される。
【００８７】
タッチパネル５７及び液晶パネル５８は結合された状態で、リアパネル５に取り付けられたパネルホルダー４７に位置決めされて保持される（図１４参照）。タッチパネル５７及び液晶パネル５８は、リアパネル５の開口部４１ａの内側開口縁にシートクッション６２、６２、・・・（図１１参照）が貼着された状態でパネルホルダー４７の第１のパネル位置決め部５５に内嵌されることにより位置決めされて保持される。
【００８８】
このときタッチパネル５７及び液晶パネル５８は、該液晶パネル５８の位置決め突部６０ａ、６０ａ、・・・が第１のパネル位置決め部５５の４つの角部に嵌合されるため確実に位置決めされ、タッチパネル５７及び液晶パネル５８のリアパネル５に対する位置精度の向上を図ることができる。
【００８９】
パネルホルダー４７にはタッチパネル５７と液晶パネル５８に加え、バックライトパネル６３も位置決めされて保持される（図８参照）。
【００９０】
バックライトパネル６３は液晶パネル５８より一回り大きい平板状に形成され、例えば、４隅の位置に位置決め用切欠６３ａ、６３ａ、・・・が形成されている。
【００９１】
バックライトパネル６３はリアパネル５に取り付けられたパネルホルダー４７に位置決めされて保持される（図１５参照）。バックライトパネル６３は位置決め用切欠６３ａ、６３ａ、・・・がそれぞれ段差部５４、５４の突部５４ｂ、５４ｂに係合され、パネルホルダー４７の第２のパネル位置決め部５６に位置決めされて保持される。
【００９２】
バックライトパネル６３は押さえ板６４によって前方側から押さえられる。押さえ板６４は、図１６に示すように、横長の矩形状に形成された押さえ部６５と該押さえ部６５の左右両側縁にそれぞれ連続して設けられた被取付部６６、６６、６７とを有している。被取付部６６、６６、６７は押さえ部６５に対して稍後方に位置されている。押さえ板６４には、その左端部に上下に離隔してネジ挿通孔６４ａ、６４ａが形成されている。押さえ板６４には、その左右方向における略中央部の上端部に前方側へ折り返された折返し片６４ｂが設けられ、該折返し片６４ｂに螺孔６４ｃが形成されている。
【００９３】
押さえ板６４は、ミドルフレーム３の補強部１４に形成されたネジ挿通孔１４ｂを挿通された図示しない取付ネジが螺孔６４ｃに螺合されることによりミドルフレーム３に取り付けられる。また、押さえ板６４は、ミドルフレーム３のネジ挿通孔３ａ、３ａをそれぞれ挿通された図示しない取付ネジがネジ挿通孔６４ａ、６４ａに挿通されリアパネル５の図示しない螺合部に螺合されることにより該リアパネル５に取り付けられる。
【００９４】
押さえ板６４がリアパネル５に取り付けられた状態において、押さえ部６５がバックライトパネル６３の前面に押し付けられ、該バックライトパネル６３が押さえ部６５によって押さえられる。バックライトパネル６３が押さえ部６５によって押さえられると、バックライトパネル６３が液晶パネル５８に押し付けられ、該液晶パネル５８及びタッチパネル５７が押さえられる。
【００９５】
上記のようにタッチパネル５７、液晶パネル５８及びバックライトパネル６３が押さえられた状態において、図１７に示すように、タッチパネル５７とリアパネル５の内周部との間に隙間が形成されている。
【００９６】
従って、電子機器１の使用時に撮影者が電子機器１を把持した状態において、指１００によってリアパネル５の開口部４１ａに近い部分が押圧されたときに、リアパネル５がタッチパネル５７に接触することがなく、該タッチパネル５７の動作不良や割れ等の不具合の発生を防止することができる。
【００９７】
特に、タッチパネル５７のうち最も強度が弱い部分であるパターン部５７ａとリアパネル５との間に隙間が形成されるため、パターン部５７ａとリアパネル５との接触を回避することができ、タッチパネル５７の動作の信頼性を確保することができる。
【００９８】
また、上記したように、タッチパネル５７、液晶パネル５８及びバックライトパネル６３は同一の部材であるパネルホルダー４７に位置決めされているため、タッチパネル５７、液晶パネル５８及びバックライトパネル６３のリアパネル５に対する良好な位置精度を確保することができると共にタッチパネル５７、液晶パネル５８及びバックライトパネル６３の３つの部品間の良好な位置精度を確保することができる。
【００９９】
尚、上記には、タッチパネル５７とリアパネル５の後面部４１との間にシートクッション６２、６２、・・・を介在させた例を示したが、例えば、図１８に示すように、パネルホルダー４７の後端部における一部を内方へ突出させて受部４７ａ、４７ａ、・・・を一体に設け、該受部４７ａ、４７ａ、・・・によってタッチパネル５７を受けることによりタッチパネル５７とリアパネル５との間に隙間を形成することも可能である。
【０１００】
このようにパネルホルダー４７に受部４７ａ、４７ａ、・・・を一体に設けることにより、シートクッション６２、６２、・・・が不要となり、部品点数の削減及びシートクッション６２、６２、・・・をリアパネル５に貼着する作業の手間を省くことができる。
【０１０１】
以上に記載した通り、電子機器１にあっては、ミドルフレーム３と該ミドルフレーム３の前後に結合されるフロントパネル４、リアパネル５の３部品によって外筐２が構成されている。
【０１０２】
従って、部品点数が少なく、各部品をネジ止めや加締め等によって結合する作業も少なくて済み、作業性の向上を図ることができる。
【０１０３】
また、フロントパネル４とリアパネル５の間に配置されるミドルフレーム３は各部が一体に形成されているため、その分、外筐２の高い強度を確保することができる。
【０１０４】
尚、電子機器１のようにタッチパネル５７を有する機器においては、タッチパネル５７、液晶パネル５８及びバックライトパネル６３にタッチパネル５７に対する接触操作に伴う負荷がかかり易いが、電子機器１にはバックライトパネル６３を押さえる押さえ板６４と該押さえ板６４を押さえる押さえリブ１４ａを設けているため、タッチパネル５７、液晶パネル５８及びバックライトパネル６３の撓みや割れを確実に防止することができる。
【０１０５】
また、押さえ板６４と押さえリブ１４ａによってタッチパネル５７、液晶パネル５８及びバックライトパネル６３が押さえられるため、タッチパネル５７及び液晶パネル５８の撓みを抑制することが可能となり、タッチパネル５７及び液晶パネル５８の大型化による使い勝手の向上を図ることができる。
【０１０６】
上記のように、バックライトパネル６３が押さえ板６４に前方から押さえられた状態において、ミドルフレーム３とリアパネル５がネジ止め等の適宜の手段により結合され、ミドルフレーム３とフロントパネル４もネジ止め等の適宜の手段により結合される。
【０１０７】
ミドルフレーム３とリアパネル５が結合されると、ミドルフレーム３の押さえリブ１４ａが押さえ板６４の押さえ部６５の前面に押し付けられ、押さえリブ１４ａによって押さえ板６４が押さえられる（図１９参照）。
【０１０８】
この押さえリブ１４ａはミドルフレーム３に一体に形成されているため、押さえ板６４を押さえる専用の部品を他に必要とせず、部品点数の削減を図ることができる。
【０１０９】
また、ミドルフレーム３とリアパネル５を結合させたときに、同時に押さえリブ１４ａによって押さえ板６４が押さえられるため、押さえリブ１４ａによって押さえ板６４を押さえるための作業を特別に必要とせず、作業性の向上を図ることができる。
【０１１０】
以下に、外筐２内に設けられた上記バッテリー装着部１７及び該バッテリー装着部１７に装着されるバッテリー２００について説明する（図２０乃至図３６参照）。
【０１１１】
バッテリー装着部１７は、上記したように、ミドルフレーム３の右側面部１０、規制壁部１５、補強部１４及び保持壁部１６によって構成され、バッテリー装着部１７の内部空間はバッテリー２００が挿入される挿入空間１７ａとされている（図２０参照）。
【０１１２】
このようにバッテリー装着部１７はミドルフレーム３に一体に形成された右側面部１０、規制壁部１５、補強部１４及び保持壁部１６によって設けられているため、部品点数が少なくて済み、電子機器１の製造コストの低減を図ることができる。
【０１１３】
バッテリー２００は略蒲鉾状に形成されている（図２１参照）。バッテリー２００は、挿入空間１７ａに対する挿入方向及び取出方向における各端面２０１、２０１の外周縁２０２、２０２が６つの部分によって構成されている。即ち、外周縁２０２は同じ長さを有する第１の直線部２０２ａ、２０２ａと該第１の直線部２０２ａ、２０２ａに直交する第２の直線部２０２ｂ、第３の直線部２０２ｃと中心角が略９０°の略円弧状を為す２つの曲線状部２０２ｄ、２０２ｄとから成る。
【０１１４】
バッテリー２００の挿入方向における端面２０１には３つの接続端子２０３、２０３、２０３が設けられている。接続端子２０３、２０３、２０３は第３の直線部２０２ｃの近傍において該第３の直線部２０２ｃに沿うように位置されている。
【０１１５】
第３の直線部２０２ｃは第２の直線部２０２ｂより短く形成され、第１の直線部２０２ａ、２０２ａの各一端と第３の直線部２０２ｃの両端とがそれぞれ曲線状部２０２ｄ、２０２ｄに連続されている。
【０１１６】
バッテリー装着部１７の挿入空間１７ａはバッテリー２００に対応する形状に形成され、挿入空間１７ａの開口縁にはバッテリー２００の曲線状部２０２ｄ、２０２ｄにそれぞれ対応する円弧状に形成された円弧状縁１７ｂ、１７ｂが形成されている（図２２参照）。
【０１１７】
保持壁部１６の右端寄りの位置には挿入空間１７ａに連通する挿通孔１６ａが形成されている（図２２参照）。保持壁部１６の前面における右端寄りの位置には、左右に離隔して軸受け部１６ｂ、１６ｂが設けられている（図２３参照）。
【０１１８】
保持壁部１６の前面には支持部材６８が取り付けられる（図２３参照）。
【０１１９】
支持部材６８は左右に長い中間部６９と該中間部６９の左右にそれぞれ連続して設けられた被取付部７０、７１とを有している。被取付部７０、７１にはそれぞれネジ挿通孔７０ａ、７１ａが形成されている。被取付部７０には上方へ突出されたバネ支持片７０ｂが設けられている。
【０１２０】
支持部材６８は被取付部７０、７１のネジ挿通孔７０ａ、７１ａをそれぞれ挿通された取付ネジ７２、７２が保持壁部１６に螺合されることにより該保持壁部１６に取り付けられる。
【０１２１】
保持壁部１６の軸受け部１６ｂ、１６ｂにはロック手段として機能するロック部材７３が回動自在に支持される。ロック部材７３は、図２４に示すように、左右方向に長い支軸部７４と該支軸部７４の右端部に設けられたロック部７５と支軸部７４の右端寄りの位置から突出されたバネ掛け突部７５とが一体に形成されて成る。
【０１２２】
ロック部７５は支軸部７４の軸方向に直交する方向へ該支軸部７４から突出され、略直角三角形状に形成されている（図２５参照）。ロック部７５は外周縁が互いに略直交する２つの直線部７５ａ、７５ｂと一つの曲線部７５ｃとを有し、該曲線部７５ｃは、バッテリー２００が挿入される挿入空間１７ａの円弧状縁１７ｂに対応する緩やかな円弧状に形成されている。ロック部７５は略直角でない一方の角部が支軸部７４に連続され、略直角でない他方の角部が先端部７５ｄとして設けられている。ロック部７５の表面は、先端部７５ｄ側の部分が傾斜面部７５ｅとして形成され、ロック部７５は傾斜面部７５ｅによって先端部７５ｄの先端に近付くに従って厚みが薄くなるようにされている。
【０１２３】
ロック部材７３の支軸部７４にはバネ部材７７が支持される（図２３及び図２４参照）。バネ部材７７は、例えば、捩じりコイルバネであり、コイル部７８と該コイル部７８の両端から突出された第１の腕部７９、第２の腕部８０とから成る。
【０１２４】
第１の腕部７９は所定の形状に屈曲されて形成され、コイル部７８に連続し該コイル部７８の先端部に対して略９０°屈曲されて形成された弾接部７９ａと該弾接部７９ａに対して略９０°屈曲されて形成された側圧付与部７９ｂとから成り、該側圧付与部７９ｂは先端側の部分が略円弧状に屈曲された押圧部７９ｃとされている。側圧付与部７９ｂはバッテリー２００がバッテリー装着部１７に装着されたときに、バッテリー２００に側圧を付与する与圧手段としての役割を果たす。
【０１２５】
バネ部材７７のコイル部７８にはロック部材７３の支軸部７４が挿入され、バネ部材７７がロック部材７３に支持される。
【０１２６】
ロック部材７３は支軸部７４が保持壁部１６に形成された軸受部１６ｂ、１６ｂに挿入されミドルフレーム３に回動自在に支持される（図２０参照）。ロック部材７３がミドルフレーム３に支持された状態において、支軸部７４とバネ掛け突部７６が上下に位置され、、ロック部７５がミドルフレーム３の右側面部１０に形成された開口１０ａから外方へ突出される（図２２参照）。
【０１２７】
ロック部材７３がミドルフレーム３に支持された状態において、ロック部材７３に支持されたバネ部材７７は保持壁部１６の軸受部１６ｂ、１６ｂ間に位置され（図２６及び図２７参照）、図２０及び図２４に示すように、第１の腕部７９の弾接部７９ａがロック部材７３のバネ掛け突部７６に前方から弾接され、第２の腕部８０の先端部が保持壁部１６に取り付けられた支持部材６８のバネ支持片７０ｂに後方から弾接される。従って、ロック部材７３はバネ部材７７によって支軸部７４を支点としてバネ掛け突部７６が略前方へ移動される回動方向へ付勢され、バネ掛け突部７６が保持壁部１６に接することによりロック部材７３の回動が規制される。このとき、ロック部７５は先端部７５ｄが円弧状縁１７ｂから挿入空間１７ａ側へ突出した状態とされる（図２２参照）。また、バネ部材７７の側圧付与部７９ｂは、押圧部７９ｃがミドルフレーム３の挿通孔１６ａから挿入空間１７ａに突出される（図２２参照）。
【０１２８】
ミドルフレーム３の補強部１４の押さえリブ１４ａにはバッテリー用回路基板８１が取り付けられる（図２０参照）。バッテリー用回路基板８１には端子部８２、８２、８２が搭載されている。端子部８２、８２、８２は上下方向に並んだ状態で位置されている。
【０１２９】
以下に、バッテリー２００の挿入空間１７ａに対する挿脱時における各部の動作について説明する（図２８乃至図３１参照）。
【０１３０】
バッテリー２００が挿入空間１７ａに挿入される前の状態においては、ロック部材７３はロック部７５の先端部７５ｄが円弧状縁１７ｂから挿入空間１７ａ側へ突出した状態とされている（図２８参照）。このときバネ部材７７は、側圧付与部７９ｂの押圧部７９ｃがミドルフレーム３の挿通孔１６ａから挿入空間１７ａに突出されている。
【０１３１】
挿入空間１７ａにバッテリー２００を挿入しようとするときには、先ず、バッテリー蓋１３を開放し、ロック部材７３をバネ部材７７による付勢力に抗してＲ１方向（図２８参照）へ回動させて挿入空間１７ａの全体を開放する。ロック部材７３のＲ１方向への回動は、例えば、ロック部材７３のロック部７５を把持して手動により行う。
【０１３２】
また、ロック部材７３のＲ１方向への回動は、バッテリー２００をロック部７５の傾斜面部７５ｅに上方又は斜め上方から押し当てて行うことも可能である（図２９参照）。具体的には、バッテリー２００を傾斜面部７５ｅに上方又は斜め上方から押し当てていくと、バッテリー２００が傾斜面部７５ｅと摺接されロック部７５がＲ１方向へ回動されていく。
【０１３３】
このようにロック部材７３のロック部７５には傾斜面部７５ｅが形成されているため、バッテリー２００を傾斜面部７５ｅに上方又は斜め上方から押し当てていくことによりロック部７５がＲ１方向へ回動可能とされ、バッテリー２００の挿入空間１７ａへの挿入を容易に行うことができる。
【０１３４】
ロック部材７３がＲ１方向へ回動されると、バネ掛け突部７６に弾接されているバネ部材７７の第１の腕部７９が略前方へ移動されていく。従って、バネ部材７７の押圧部７９ｃが挿通孔１６ａ内に引き込まれる（図３０参照）。
【０１３５】
挿入空間１７ａとバッテリー２００との間には挿入空間１７ａに対するバッテリー２００の良好な挿脱性を確保するための隙間が存在するため、挿入空間１７ａにバッテリー２００を挿入すると、バッテリー２００が挿入空間１７ａに対して隙間分傾斜する場合がある（図３１参照）。バッテリー２００が挿入空間１７ａに対して傾斜した場合には、バッテリー２００の接続端子２０３、２０３、２０３と端子部８２、８２、８２との接続不良が生じるおそれがある。
【０１３６】
しかしながら、挿入空間１７ａにバッテリー２００が挿入されると、ロック部材７３がバネ部材７７の付勢力によってＲ２方向（図３０参照）へ回動され、この回動動作に伴って第１の腕部７９が略後方へ移動され押圧部７９ｃが挿通孔１６ａから挿入空間１７ａに突出される（図３２参照）。
【０１３７】
ロック部材７３のＲ２方向への回動によりロック部７５の一部がバッテリー２００の一方の端面２０１に接し、バッテリー２００がバッテリー装着部１７に装着された状態がロックされる（図３２及び図３３参照）。また、押圧部７９ｃが挿通孔１６ａから挿入空間１７ａに突出されると、バッテリー２００が押圧部７９ｃによって押圧され、規制壁部１５に押し付けられて傾斜状態が是正される（図３２及び図３３参照）。従って、バッテリー２００の接続端子２０３、２０３、２０３と端子部８２、８２、８２とが良好な状態で接続される。
【０１３８】
最後に、バッテリー蓋１３を閉塞することによりバッテリー２００の挿入を完了する。
【０１３９】
逆に、バッテリー２００のバッテリー装着部１７からの取出は、先ず、バッテリー蓋１３を開放し、次に、ロック部材７３を回動させてバッテリー２００に対するロックを解除し、最後に、バッテリー２００を挿入空間１７ａから引き抜くことにより行う。
【０１４０】
以上に記載した通り、電子機器１にあっては、バッテリー２００に側圧を付与する与圧手段として機能するバネ部材７７の側圧付与部７９ｂとロック手段として機能するロック部材７３が連動され、該ロック部材７３によってバッテリー２００がロックされたときに側圧付与部７９ｂによってバッテリー２００に側圧が付与されると共にロック部材７３によるバッテリー２００のロックが解除されたときに側圧付与部７９ｂによるバッテリー２００への側圧の付与が解除される。
【０１４１】
従って、バッテリー２００がバッテリー装着部１７に装着されロックされた状態においては側圧付与部７９ｂによってバッテリー２００が規制壁部１５に押し付けられるため、接続端子２０３、２０３、２０３と端子部８２、８２、８２との良好な接続状態を確保することができ、また、バッテリー２００のロックが解除された状態において側圧付与部７９ｂによる側圧の付与が解除されるため、バッテリー２００の挿入空間１７ａに対する挿入及び取出を円滑に行うことができる。
【０１４２】
尚、バッテリー２００に対する側圧をロック部材７３で付与せずバネ部材７７の押圧部７９ｃによって付与するため、ロック手段と与圧手段をそれぞれの機能に応じた最適形状に形成することが可能となり、設計の自由度の向上及び効率的な部品の配置が可能となる。
【０１４３】
また、上記には、例として、ロック部材７３にバネ部材７７が支持されることによりロック手段と与圧手段を連結する構成を示したが、例えば、適宜のリンク手段を用いてロック手段と与圧手段を連結することも可能である。
【０１４４】
また、ロック部材７３は支軸部７４を支点として回動され、側圧付与部７９ｂもロック部材７３の回動動作に伴ってこの回動方向と同じ方向へ動作されるため、動作の信頼性を確保することができ、また、ロック部材７３及び側圧付与部７９ｂの動作スペースが小さくて済み、電子機器１の小型化を図ることができる。
【０１４５】
さらに、与圧手段として機能する側圧付与部７９ｂはバネ部材７７の一部であるため、バッテリー２００が規制壁部１５に押し付けられたときの各部材間の寸法公差が吸収され、バッテリー２００を適切な力量で規制壁部１５に押し付けることができる。
【０１４６】
加えて、ロック部材７３のロック部７５に曲線部７５ｃを形成しロック部７５を支軸部７４から遠去かるに従って幅広となる形状に形成し、ロック部７５がバッテリー２００の挿入方向における一方の端面２０１に接することによりバッテリー２００がバッテリー装着部１７にロックされるようにしているため、ロック部７５の端面２０１に対する接触面積が大きく、バッテリー２００のロック状態の安定化を図ることができる。
【０１４７】
尚、上記には、回動してバッテリー２００のロックを行うロック部材７３を例として示したが、ロック部材７３に代えて、例えば、以下のように弾性変形することによりロックを行うロック部材７３Ａを用いることも可能である（図３４乃至図３６参照）。
【０１４８】
ロック部材７３Ａは樹脂材料等の弾性変形量のおおきな材料によって形成され、図３４に示すように、左右方向に長い基部８３と該基部８３の長手方向における一端部から直交する方向へ突出されたロック部８４と基部８３の長手方向における中間部から直交する方向へ突出された側圧付与部８５とから成る。
【０１４９】
ロック部材７３Ａは基部８３の他端部が保持壁部１６に取り付けられ、ロック部８４が右側面部１０の配置孔１０ｂから突出されて一部が挿入空間１７ａの側方に位置され、側圧付与部８５の先端部が保持壁部１６の挿通孔１６ａから挿入空間１７ａに突出されている。
【０１５０】
バッテリー２００を挿入空間１７ａに挿入するときには、ロック部材７３Ａを撓ませて挿入空間１７ａの全体を開放する（図３５参照）。ロック部材７３Ａを撓ませることにより側圧付与部８５が挿通孔１６ａ内に引き込まれる。従って、バッテリー２００を挿入空間１７ａに円滑に挿入することができる。
【０１５１】
バッテリー２００が挿入空間１７ａに挿入された状態において、ロック部材７３Ａを元の状態に戻すと、ロック部８４によってバッテリー２００がロックされると共に側圧付与部８５によってバッテリー２００に側圧が付与されバッテリー２００が規制壁部１５に押し付けられる。バッテリー２００が規制壁部１５に押し付けられることにより、バッテリー２００が挿入空間１７ａ内において傾斜することなく、接続端子２０３、２０３、２０３と端子部８２、８２、８２とが確実に接続される。
【０１５２】
バッテリー２００の挿入空間１７ａからの取出は、再びロック部材７３Ａを撓ませて挿入空間１７ａの全体を開放すると共に側圧付与部８５によるバッテリー２００への側圧の付与を解除した状態で行う。
【０１５３】
上記のように、ロック部材７３Ａはロック部８４と側圧付与部８５が一体に形成されているため、部品点数の削減を図ることができる。
【０１５４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５５】
【図１】図２乃至図３６と共に本発明の最良の形態を示すものであり、本図は、電子機器の一例としてスチルカメラを示す斜視図である。
【図２】スチルカメラの背面側を示す斜視図である。
【図３】ミドルフレームの拡大斜視図である。
【図４】ミドルフレームの背面側を示す拡大斜視図である。
【図５】バッテリー蓋を開放した状態で示すスチルカメラの斜視図である。
【図６】ミドルフレームとこれに配置される各部品を示す分解斜視図である。
【図７】ミドルフレームの一部とシャッターユニットを示す拡大分解斜視図である。
【図８】スチルカメラの構造を示す分解斜視図である。
【図９】パネルホルダーの拡大正面図である。
【図１０】パネルホルダーの拡大斜視図である。
【図１１】パネルホルダーの各位置決め部を示す拡大斜視図である。
【図１２】タッチパネルの斜視図である。
【図１３】液晶パネルの斜視図である。
【図１４】パネルホルダーの第１の位置決め部にタッチパネル及び液晶パネルが位置決めされて配置された状態を示す拡大斜視図である。
【図１５】パネルホルダーの第２の位置決め部にバックライトパネルが位置決めされて配置された状態を示す斜視図である。
【図１６】押さえ板の斜視図である。
【図１７】タッチパネル、液晶パネル及びバックライトパネル等の配置状態を示す拡大断面図である。
【図１８】タッチパネル、液晶パネル及びバックライトパネル等の配置状態の別例を示す拡大断面図である。
【図１９】押さえ板がミドルフレームの押さえリブによって押さえられた状態を示す拡大断面図である。
【図２０】バッテリー装着部とバッテリーを示す拡大斜視図である。
【図２１】バッテリーの拡大斜視図である。
【図２２】バッテリー装着部とロック部材を示す拡大斜視図である。
【図２３】ミドルフレームの一部と支持部材とバネ部材を示す拡大分解斜視図である。
【図２４】ロック部材とバネ部材を示す拡大斜視図である。
【図２５】ロック部材のロック部の形状を示す拡大斜視図である。
【図２６】ミドルフレームの一部と支持部材とバネ部材を支持部材がミドルフレームに取り付けられた状態で示す拡大斜視図である。
【図２７】ミドルフレームの一部、支持部材、バネ部材及びロック部材をロック部材を分離して示す拡大斜視図である。
【図２８】図２９乃至図３３と共にバッテリーがバッテリー装着部に装着されるときの各部の動作を示すものであり、本図は、バッテリーが挿入空間に挿入される前の状態を示す拡大側面図である。
【図２９】ロック部の傾斜面部にバッテリーが押し当てられたときの動作状態を示す拡大斜視図である。
【図３０】バッテリーが挿入空間に挿入されている途中の状態を示す拡大側面図である。
【図３１】挿入空間に挿入されたバッテリーがロックされる前の状態を示す概念図である。
【図３２】バッテリーが挿入空間に挿入されてロックされた状態を示す拡大側面図である。
【図３３】挿入空間に挿入されたバッテリーがロックされた状態を示す概念図である。
【図３４】図３５及び図３６と共に別のロック部材を用いた場合にバッテリーがバッテリー装着部に装着されるときの各部の動作を示すものであり、本図は、バッテリーが挿入空間に挿入される前の状態を示す拡大断面図である。
【図３５】バッテリーが挿入空間に挿入されている途中の状態を示す拡大断面図である。
【図３６】バッテリーが挿入空間に挿入されてロックされた状態を示す拡大断面図である。
【符号の説明】
【０１５６】
１…電子機器、２…外筐、３…ミドルフレーム、４…フロントパネル、５…リアパネル、６…フレーム部、７…上側面部（側面部）、８…下側面部（側面部）、９…左側面部（側面部）、１０…右側面部（側面部）、１４…補強部、１４ａ…押さえリブ、１７…バッテリー装着部、５７…タッチパネル、５８…液晶パネル、６３…バックライトパネル、６４…押さえ板、８１…バッテリー用回路基板、８２…端子部、２００…バッテリー
【図１】
0004645902.tif 000002
【図２】
0004645902.tif 000003
【図３】
0004645902.tif 000004
【図４】
0004645902.tif 000005
【図５】
0004645902.tif 000006
【図６】
0004645902.tif 000007
【図７】
0004645902.tif 000008
【図８】
0004645902.tif 000009
【図９】
0004645902.tif 000010
【図１０】
0004645902.tif 000011
【図１１】
0004645902.tif 000012
【図１２】
0004645902.tif 000013
【図１３】
0004645902.tif 000014
【図１４】
0004645902.tif 000015
【図１５】
0004645902.tif 000016
【図１６】
0004645902.tif 000017
【図１７】
0004645902.tif 000018
【図１８】
0004645902.tif 000019
【図１９】
0004645902.tif 000020
【図２０】
0004645902.tif 000021
【図２１】
0004645902.tif 000022
【図２２】
0004645902.tif 000023
【図２３】
0004645902.tif 000024
【図２４】
0004645902.tif 000025
【図２５】
0004645902.tif 000026
【図２６】
0004645902.tif 000027
【図２７】
0004645902.tif 000028
【図２８】
0004645902.tif 000029
【図２９】
0004645902.tif 000030
【図３０】
0004645902.tif 000031
【図３１】
0004645902.tif 000032
【図３２】
0004645902.tif 000033
【図３３】
0004645902.tif 000034
【図３４】
0004645902.tif 000035
【図３５】
0004645902.tif 000036
【図３６】
0004645902.tif 000037